(57)【要約】【課題】  歯車本体と補助部材とを接着によって固定することにより、高剛性化するように構成した場合でも、歯車本体と補助部材とを薄い接着層で確実に接着することができ、歯車部材を薄肉に形成した場合でも、剛性を高めることにより、回転変動を大幅に低減することが可能な歯車及びこれを用いた駆動伝達装置を提供することを課題とする。【解決手段】  外周に歯部が形成され、かつ内周に空隙部が設けられた歯車本体と、前記歯車本体を構成する材料と機械的強度が同等かそれ以上である材料からなり、前記空隙部に嵌合された状態で配置され、かつ前記歯車本体の空隙部内周面に接着固定される補助部材とを備えた歯車において、前記補助部材又は歯車本体の接着固定される面に、接着剤が流入する溝部を設けるように構成して課題を解決する。【選択図】  図１
2005083448.tif 000002
【特許請求の範囲】
【請求項１】
外周に歯部が形成され、かつ内周に空隙部が設けられた歯車本体と、前記歯車本体を構成する材料と機械的強度が同等かそれ以上である材料からなり、前記空隙部に嵌合された状態で配置され、かつ前記歯車本体の空隙部内周面に接着固定される補助部材とを備えた歯車において、
前記補助部材又は歯車本体の接着固定される面に、接着剤が流入する溝部を設けたことを特徴とする歯車。
【請求項２】
中空の回転部材を接合する接合部を有するとともに、当該接合部の軸方向に沿った端部外周に歯部が形成され、かつ内周に空隙部が設けられた歯車本体と、前記歯車本体を構成する材料と機械的強度が同等かそれ以上である材料からなり、前記空隙部に配置され、かつ前記歯車本体の空隙部内周面に接着固定される補助部材とを備えた歯車において、
前記補助部材又は歯車本体の接着固定される面に、接着剤が流入する溝部を設けたことを特徴とする歯車。
【請求項３】
前記歯車本体及び前記補助部材は、プラスチック成形品からなることを特徴とする請求項１又は２記載の歯車。
【請求項４】
前記回転部材は、薄肉円筒状の像担持体からなることを特徴とする請求項２記載の歯車。
【請求項５】
前記補助部材又は歯車本体の接着固定される面に、接着剤が流入する螺旋状の溝部を設けたたことを特徴とする請求項１乃至４のいずれか１つに記載の歯車。
【請求項６】
前記補助部材又は歯車本体の接着固定される面に、接着剤が流入する環状の溝部を軸方向に沿って複数本設けたことを特徴とする請求項１乃至４のいずれか１つに記載の歯車。
【請求項７】
外周に歯部が形成され、かつ内周に空隙部が設けられた歯車本体と、前記歯車本体を構成する材料と機械的強度が同等かそれ以上である材料からなり、前記空隙部に嵌合された状態で配置され、かつ前記歯車本体の空隙部内周面に接着固定される補助部材とを備えた歯車を用いて駆動力を伝達する駆動伝達装置において、
前記補助部材又は歯車本体の接着固定される面に、接着剤が流入する溝部を設けたことを特徴とする駆動伝達装置。
【請求項８】
中空の回転部材を接合する接合部を有するとともに、当該接合部の軸方向に沿った端部外周に歯部が形成され、かつ内周に空隙部が設けられた歯車本体と、前記歯車本体を構成する材料と機械的強度が同等かそれ以上である材料からなり、前記空隙部に配置され、かつ前記歯車本体の空隙部内周面に接着固定される補助部材とを備えた歯車を用いて駆動力を伝達する駆動伝達装置において、
前記補助部材又は歯車本体の接着固定される面に、接着剤が流入する溝部を設けたことを特徴とする駆動伝達装置。
【請求項９】
前記歯車本体及び前記補助部材は、プラスチック成形品からなることを特徴とする請求項７又は８記載の駆動伝達装置。
【請求項１０】
前記回転部材は、薄肉円筒状の像担持体からなることを特徴とする請求項８記載の駆動伝達装置。
【請求項１１】
前記補助部材又は歯車本体の接着固定される面に、接着剤が流入する螺旋状の溝部を設けたたことを特徴とする請求項７乃至１０のいずれか１つに記載の駆動伝達装置。
【請求項１２】
前記補助部材又は歯車本体の接着固定される面に、接着剤が流入する環状の溝部を軸方向に沿って複数本設けたことを特徴とする請求項７乃至１０のいずれか１つに記載の駆動伝達装置。
【発明の詳細な説明】
【技術分野】
【０００１】
この発明は、電子写真技術を用いて画像を形成するプリンタやファクシミリ、あるいは複写機等の画像形成装置に用いられる歯車及びこれを用いた駆動伝達装置に関するものである。
【０００２】
【特許文献１】特開平９−８０８４０号公報
【特許文献２】特開平５−７２８６２号公報
【特許文献３】特開２０００−８９６０８号公報
【特許文献４】特開２０００−８９６０９号公報
【特許文献５】特開２０００−８９６１０号公報
【特許文献６】特開２００１−２４１５３６号公報
【特許文献７】特開平６−１１０１６号公報
【特許文献８】特許第３３３２５８２号公報
【背景技術】
【０００３】
従来、この種の電子写真技術を用いて画像を形成するプリンタやファクシミリ、あるいは複写機等の画像形成装置においては、感光体ドラムの端部に設けられた感光体駆動歯車や、中間転写ドラムの端部に設けられた中間転写体駆動歯車等の像担持体歯車によって、感光体ドラムや中間転写ドラム等の像担持体を回転駆動し、白黒やフルカラーの画像を形成するように構成されている。
【０００４】
そして、上記プリンタやファクシミリ、あるいは複写機等の画像形成装置においては、感光体駆動歯車や中間転写体駆動歯車等の像担持体歯車の不良が、直ちに画像欠陥へと繋がるという性質上、これらの感光体駆動歯車や中間転写体駆動歯車等の像担持体歯車には、高噛み合い率、高伝達率、回転ムラの抑制など、高度な要求を満たすことが求められている。
【０００５】
図１２は、カラープリンタなどの画像形成装置において、濃度ムラの許容値と像担持体ドラムの速度変動率△Ｖ0-p(%)との関係を示すものである。
【０００６】
同図において、出力画像の濃度ムラが認知可能となる像担持体ドラムの回転ムラレベルは、回転ムラの指標となる速度変動率△Ｖ0-p(%)において約０．３％であり、これ以上の速度変動率が発生すると、出力画像の濃度ムラが認知可能となり問題となってしまう。そのため、上記感光体駆動歯車や中間転写体駆動歯車等の像担持体歯車における噛み合い変動レベルは、この濃度ムラという観点からは非常に大きな問題となり、速度変動率△Ｖ0-p(%)を０．３％以下に抑えるものである必要がある。
【０００７】
ところで、従来の画像形成装置では、感光体および中間転写体用の駆動ギアとして、高噛み合い率と高伝達率を実現し、又、良好な低回転ムラ性能を得るために、感光体駆動歯車や中間転写体駆動歯車等の像担持体歯車として、はす歯ギアを用いて、像担持体ヘ駆動力を伝達する技術が種々提案されている（例えば、特開平９−８０８４０号公報、特開平５−７２８６２号公報参照) 。
【０００８】
一般に、駆動力を伝達するギアとしてはす歯ギアを用いた場合には、すぐ歯（平歯）ギアを用いた場合と比較して、噛み合い率を大きく取り易く、駆動側のギアと従動側のギアとの噛み合いが徐々に行われるため、従動側のギアに伝達される噛み合い振動をかなり低減することが可能であることが分かっている。
【０００９】
しかし、はす歯ギア等のギアを用いて駆動力を伝達する場合には、歯のたわみやギアの捩れ等によって回転ムラが発生するという技術的課題は避けられない。
【００１０】
すなわち、駆動側のギアが従動側のギアと噛み合って従動側のギアを回転駆動する際に、駆動側のギアの歯と従動側のギアの歯とは所定の時間だけ互いに接触しているが、当該所定の時間が経過して次の歯同士が噛み合うまでの間に、お互いの歯同士が非接触状態となる、所謂”バックラッシュ( がた) ”が必然的に存在する。このため、上記バックラッシュが存在すると、ギアの次の歯同士が噛み合う時に微小な振動が発生し、従動側のギアに周期的（ギアの歯同士が噛み合う繰り返し）な回転ムラが発生する要因となってしまう。また、上述したはす歯ギアを用いて噛み合い率を高め、バックラッシュの影響を低減した場合でも、負荷の大きさによって歯の変形やギアのねじれが生じ、正規の噛み合いと異なり、噛み合い周期の振動を発生させ、回転ムラが発生することになる。
【００１１】
また、近年、プリンタやファクシミリ、あるいは複写機等の画像形成装置においては、小型化が進み、図１３に示すように、薄肉円筒状に形成された感光体ドラム等の像担持体３００の端部に、フランジギア３０１を一体的に取り付け、当該フランジギア３０１によって像担持体３００を回転駆動するように構成し、フランジギアとしてプラスチック成形ギアが多く使用されている（特開２０００−８９６０８号公報、特開２０００−８９６０９号公報、特開２０００−８９６１０号公報等参照) 。
【００１２】
しかし、上記プラスチック成形ギアは、製造上の問題として、肉厚を大きくすることが困難であるという難点を有している。これは、プラスチック成形ギアは、肉厚を大きくすると、成形時の冷却や固化に時間がかかり、生産性が低下し、量産性に問題が生じるためである。また、プラスチック成形ギアは、肉厚を大きくすると、樹脂の収縮に起因するひけ等の問題も発生し易くなり、成形ギアの高精度化が図れなくなり、回転むらの発生が顕著になる。そのため、上記の如く小型の画像形成装置等で一般に使用されているフランジギアにおいても、肉厚を考慮した設計がなされ、図１３に示すように、箇所箇所に肉抜き３０２が施されるように構成されている。したがって、肉抜きされたフランジギアの場合には、剛性が低下してしまい、負荷が大きくかかる場合などにはギアに変形が生じ、回転精度に影響を与えてしまう。更に、近年の画像形成装置の小型化に伴って、感光体ドラム等の像担持体の小径化も進み、フランジギアも小径化されてきており、剛性は更に低下する傾向となっている。
【００１３】
このように、感光体ドラム等の像担持体を駆動するギアの剛性が低下することが原因で、像担持体の回転精度に与える影響としては、次のことが挙げられる。すなわち、ギアの歯面にかかる荷重やギアの剛性は、噛み合いの進行によって変化していくため、ギアの変形量は、噛み合い周期で変動することとなる。このとき、ギアの変形量に生じる変動は、そのまま回転伝達誤差となるため、噛み合い周期に応じた回転変動や振動となって現れる。
【００１４】
図１４は、ギアの変形によって生じる噛み合い周期に応じた回転変動や振動の傾向を示すのである。ギアの剛性が低下するということは、図中△Ｋが同一であり、同一の荷重が加わったとしても、剛性が低下することにより剛性変化による変形量ΔＸ１は、大きくなることを意味する。そのため、図１４は、ギアの剛性が低下すると、回転伝達誤差が大きくなるということを示している。
【００１５】
そこで、このような技術的課題を解決し得る先行技術としては、例えば、特開２００１−２４１５３６号公報や、特開平６−１１０１６号公報、あるいは特許第３３３２５８２号公報などに開示されたものが既に提案されている。
【００１６】
上記特開２００１−２４１５３６号公報では、ギアの肉抜き部に弾性体を圧入し、ギアの変形によって生じる振動を防止する方法が提案されている。このタイプでは、ギアのねじれ等の変形によって圧力が生じ、ギアの歯元近傍に振動が生じても、この振動が回転軸へ伝達するのを防止することが可能となる。
【００１７】
また、上記特開平６−１１０１６号公報では、ギアの歯の曲げ剛性を高めるための工夫がなされている。この公報に開示された技術は、ギアの側端部にギア径と同等の鍔や補強板を取り付け、ギアの剛性を高めるように構成したものである。このように構成することで、ギアの剛性が高くなり、ギアの変形を生じ難くする効果がある。
【００１８】
さらに、上記特許第３３３２５８２号公報では、フランジギアの歯底部と軸孔部との間に設けた肉抜き部に、円筒補助部材を圧入し、高剛性化する手法が提案されている。これにより、ギアの剛性は高くなり、剛性変化による変形量を低減することができる。
【発明の開示】
【発明が解決しようとする課題】
【００１９】
しかしながら、上記従来技術の場合には、次のような問題点を有している。すなわち、上述したように、薄肉化されて剛性が相対的に低いギアで発生する剛性変化による変形は、回転方向に沿った剛性の低下によるものである。図１４において、パラメータＫは、ギアの回転方向に沿った剛性の値を示すものである。ギアの曲げ変形やねじり変形によって生じる問題は、幾何学的な噛み合いの誤差が原因となって現れる回転変動成分である。本発明者らの研究によれば、プラスチック成形ギアは、金属ギアと比較して、この幾何学的な噛み合い誤差による噛み合い周期の回転変動は、比較的小さいことが分かっており、プラスチック成形ギアでは、図１４に示すように、ギアの回転方向に沿った剛性の低下が大きな問題となる。
【００２０】
上述したギアの剛性を上げる先行技術において、この回転方向に沿ったギアの剛性を上げることに対して効果のある手段としては、特許第３３３２５８２号公報に開示されたものがある。
【００２１】
しかし、この特許第３３３２５８２号公報に開示されているように、ギアの歯底部と軸孔部の間にある肉抜き部に円筒補助部材を圧入した場合には、補助部材と肉抜きされたギア本体にすべりが生じる程度の軽い圧入であると、回転方向に沿った剛性を大きく増加させることはできない。そのため、通常は、上記補助部材と肉抜きされたギア本体とを、大きな圧力が掛かる程度の両者の寸法関係をもって圧入する必要がある。この場合には、補助部材の偏心、真円度誤差、補助部材の挿入角度誤差などによって、ギア本体が変形してしまい、かつ、歯の変形なども生じるため、噛み合い周期以外の新たな回転変動（ギアの１回転周期、変形モードの周期など）が発生してしまうという問題点を有している。
【００２２】
この問題点を防止するためには、補助部材と肉抜きされたギア本体とを、圧入によって固定するのではなく、両者を接着によって固定する方法が考えられる。上記補助部材とギア本体とを接着した場合には、大きな圧力で圧入する必要がない（緩めの嵌め合わせで良い）ため、補助部材の偏心、真円度誤差、補助部材の挿入角度誤差などによるギアの変形が小さい。
【００２３】
しかしながら、上記ギア本体と補助部材とを接着する際に、接着層の厚み等を制御することが困難であり、ギア本体と補助部材とを確実に接着するため、接着層を厚くした場合には、接着層が有する弾性がギアの剛性を高める効果を低減させてしまうことになる。そのため、上記接着層は、可能な限り薄くして、ギア本体と補助部材とを接着しなければ、ギアを高剛性化することができない。
【００２４】
ところが、上記接着層を可能な限り薄く形成するために、ギア本体と補助部材とを略同一径に形成して嵌め合わせると、接着層を両者の間に均一に形成することができず、図１５に示すように、接着不良が生じて高い剛性を得ることができないという問題点が新たに発生する。また、この場合、仮にギア本体と補助部材を接着することができたとしても、ギア本体と補助部材とを接着する際に、ギアの歯幅方向で未接着領域が存在すると、接着されている歯幅方向の片側だけ高剛性化されることになる。
【００２５】
上記ギアとしてはす歯ギアを用いた場合には、噛み合う歯同士の接触が、歯に対して斜めに行われ、ギアの回転中に（噛み合いの進行に伴い）歯面にかかる荷重が歯幅方向で移動する。そのため、ギアの歯幅方向で未接着領域が存在すると、未接着領域側の歯元応力が高い時には、図１６に破線で示すように、ギアの片側で大きなギア変形を生じさせる結果となり、ギア剛性を高める効果を低減させてしまうという問題点が生じる。したがって、ギアの偏心等の誤差を増大させることなく、安定な高剛性ギアを提供する技術が必要となっている。
【００２６】
そこで、この発明は、上記従来技術の問題点を解決するためになされたものであり、その目的とするところは、歯車本体と補助部材とを接着によって固定することにより、高剛性化するように構成した場合でも、歯車本体と補助部材とを薄い接着層で確実に接着することができ、歯車部材を薄肉に形成した場合でも、剛性を高めることにより、回転変動を大幅に低減することが可能な歯車及びこれを用いた駆動伝達装置を提供することにある。
【課題を解決するための手段】
【００２７】
上記の課題を解決するため、この発明の第１の特徴とするところは、外周に歯部が形成され、かつ内周に空隙部が設けられた歯車本体と、前記歯車本体を構成する材料と機械的強度が同等かそれ以上である材料からなり、前記空隙部に嵌合された状態で配置され、かつ前記歯車本体の空隙部内周面に接着固定される補助部材とを備えた歯車において、前記補助部材又は歯車本体の接着固定される面に、接着剤が流入する溝部を設けたことを特徴とする歯車である。
【００２８】
このように、前記補助部材又は歯車本体の接着固定される面に、接着剤が流入する溝部を設けることにより、歯車本体と補助部材とを強固に一体化させることができ、歯車に偏心等の機械誤差が生じることなく、歯部が形成された部分における歯車本体の機械的強度を向上させることができる。
【００２９】
ここで、「機械的強度」とは、材料固有の縦弾性係数又は横弾性係数をいう。
【００３０】
また、この発明の第２の特徴とするところは、中空の回転部材を接合する接合部を有するとともに、当該接合部の軸方向に沿った端部外周に歯部が形成され、かつ内周に空隙部が設けられた歯車本体と、前記歯車本体を構成する材料と機械的強度が同等かそれ以上である材料からなり、前記空隙部に配置され、かつ前記歯車本体の空隙部内周面に接着固定される補助部材とを備えた歯車において、前記補助部材又は歯車本体の接着固定される面に、接着剤が流入する溝部を設けたことを特徴とする歯車である。
【００３１】
このように、前記補助部材又は歯車本体の接着固定される面に、接着剤が流入する溝部を設けることにより、歯車本体と補助部材とを強固に一体化させることができ、回転部材に偏心等の機械誤差が生じることなく、歯部が形成された部分における歯車本体の機械的強度を向上させることができる。
【００３２】
また、前記歯車本体ならびに補助部材は、プラスチック成形品からなることがコスト的に好ましい。
【００３３】
さらに、請求項４に記載の発明においては、前記回転部材は、薄肉円筒状の像担持体からなることを特徴とする請求項２記載の歯車である。
【００３４】
又、請求項５に記載の発明においては、前記補助部材又は歯車本体の接着固定される面に、接着剤が流入する螺旋状の溝部を設けたたことを特徴とする請求項１乃至４のいずれか１つに記載の歯車である。
【００３５】
更に、請求項６に記載の発明においては、前記補助部材又は歯車本体の接着固定される面に、接着剤が流入する環状の溝部を軸方向に沿って複数本設けたことを特徴とする請求項１乃至４のいずれか１つに記載の歯車である。
【００３６】
また、請求項７に記載の発明においては、外周に歯部が形成され、かつ内周に空隙部が設けられた歯車本体と、前記歯車本体を構成する材料と機械的強度が同等かそれ以上である材料からなり、前記空隙部に嵌合された状態で配置され、かつ前記歯車本体の空隙部内周面に接着固定される補助部材とを備えた歯車を用いて駆動力を伝達する駆動伝達装置において、前記補助部材又は歯車本体の接着固定される面に、接着剤が流入する溝部を設けたことを特徴とする駆動伝達装置である。
【００３７】
さらに、請求項８に記載の発明においては、中空の回転部材を接合する接合部を有するとともに、当該接合部の軸方向に沿った端部外周に歯部が形成され、かつ内周に空隙部が設けられた歯車本体と、前記歯車本体を構成する材料と機械的強度が同等かそれ以上である材料からなり、前記空隙部に配置され、かつ前記歯車本体の空隙部内周面に接着固定される補助部材とを備えた歯車を用いて駆動力を伝達する駆動伝達装置において、前記補助部材又は歯車本体の接着固定される面に、接着剤が流入する溝部を設けたことを特徴とする駆動伝達装置である。
【００３８】
また更に、請求項９に記載の発明においては、前記歯車本体及び前記補助部材は、プラスチック成形品からなることを特徴とする請求項７又は８記載の駆動伝達装置である。
【００３９】
又、請求項１０に記載の発明においては、前記回転部材は、薄肉円筒状の像担持体からなることを特徴とする請求項８記載の駆動伝達装置である。
【００４０】
更に、請求項１１に記載の発明においては、前記補助部材又は歯車本体の接着固定される面に、接着剤が流入する螺旋状の溝部を設けたたことを特徴とする請求項７乃至１０のいずれか１つに記載の駆動伝達装置である。
【００４１】
また、請求項１２に記載の発明においては、前記補助部材又は歯車本体の接着固定される面に、接着剤が流入する環状の溝部を軸方向に沿って複数本設けたことを特徴とする請求項７乃至１０のいずれか１つに記載の駆動伝達装置である。
【００４２】
この発明に係る歯車及び駆動伝達装置は、例えば、画像形成装置に使用されるが、当該歯車及び駆動伝達装置は、画像形成装置に限定されるものではなく、駆動系を有する他の電子機器など、その他の装置に用いることができることは勿論である。また、上記画像形成装置においても、回転部材としては、用紙等を搬送するためのロール等が含まれるが、感光体や中間転写体等の像担持体であることが好ましい。
【００４３】
図１は、この発明に係る歯車の構成例を示すものである。
【００４４】
この歯車１は、歯車本体２と補助部材３とから構成されており、歯車本体２は、歯部４の歯幅内の部分であるギアホイール部５が肉抜きされて薄肉に形成されている。また、歯車本体２の一側面には、ギアホイール部５と一体的に側面部６が形成されており、当該側面部６には、円形状の開口部７が設けられている。そして、上記歯車本体２の歯部４下の内周面には、非接触（非拘束）状態とする空隙部８が設けられており、当該歯車本体２の内周面には、当該内周面を回転方向に対して拘束する補助部材３が接着固定されている。
【００４５】
ここで、上記補助部材３の外周面９には、図１（ｂ）に示すように、接着剤が流入する環状の溝部１０が、軸方向に沿って複数本（図示例では、４本）設けられている。また、上記補助部材３の外周面９には、図１（ｃ）に示すように、接着剤が流入する環状の溝部１０が、螺旋状に設けらるように構成しても良い。
【００４６】
上記の如く構成されているため、上記歯車１は、歯車本体２の肉抜きされた内周径と補助部材３の外周径が、高い圧力がかからない程度に略同一径（０〜３０μｍ程度の圧入）に設定されていても、接着剤が抜けたり、あるいは未接着領域が形成されることなく、接着剤が流入する環状又は螺旋状の溝部１０によって、歯車本体２と補助部材３とを強固に接着固定することができる。また、溝部１０を螺旋状に形成した場合には、歯車本体２へ補助部材３を回転させながら挿入することにより、接着剤が均等に流動し、より一層安定な接着が可能となる。さらに、溝部１０を螺旋状に形成した場合には、当該螺旋状の溝部１０を介して、補助部材３を回転させながら成形型から抜き型することができ、補助部材３に溝部１０を設ける加工が成形加工で容易に行えるという利点をも有している。
【発明の効果】
【００４７】
この発明によれば、歯車本体と補助部材とを接着によって固定することにより、高剛性化するように構成した場合でも、歯車本体と補助部材とを薄い接着層で確実に接着することができ、歯車部材を薄肉に形成した場合でも、剛性を高めることにより、回転変動を大幅に低減することが可能な歯車及びこれを用いた駆動伝達装置を提供することができる。
【発明を実施するための最良の形態】
【００４８】
以下に、この発明の実施の形態について図面を参照して説明する。
【００４９】
実施の形態１
図２はこの発明の実施の形態１に係る歯車及びこれを用いた駆動伝達装置を適用した画像形成装置としてのタンデム型のフルカラー複写機を示す概略構成図である。
【００５０】
図２において、このフルカラー複写機８０は、大別して、画像入力部と、画像出力部と、シート搬送部とから構成されており、当該フルカラー複写機８０の構成を、画像入力部と、画像出力部と、シート搬送部に分けてそれぞれ説明する。
【００５１】
画像入力部は、原稿が載置される原稿載置台７０と、この原稿載置台７０上の原稿を読み取る原稿読取装置７１と、この原稿読取装置７１によって読み取られた画像情報を処理する画像処理装置７２とを備えている。
【００５２】
また、画像形成部は、ブラック、イエロー、マゼンタ、シアンの各色に対応した画像形成ステーション１０（具体的には１０Ｋ，１０Ｙ，１０Ｍ，１０Ｃ：図中点線で囲まれた部分）と、これらの画像形成ステーション１０に画像処理装置７２から送られてくる画像データ１Ｋ，１Ｙ，１Ｍ，１Ｃに基づいて画像露光を施す露光装置１３（具体的には１３Ｋ〜１３Ｃ）と、各画像形成ステーション１０にて形成された画像が順次転写保持される中間転写体としての二つの第一中間転写ドラム３１（具体的には３１ａ，３１ｂ）と、一つの第二中間転写ドラム３２を備えている。
【００５３】
ここで、上記各画像形成ステーション１０には、像担持体としての感光体ドラム１１（具体的には１１Ｋ〜１１Ｃ）と、感光体ドラム１１の表面を所定の電位に一様に帯電する帯電ロール等からなる帯電装置１２（具体的には１２Ｋ〜１２Ｃ）と、帯電された感光体ドラム１１上に露光装置１３により書き込まれた静電潜像を各色のトナーにて現像する現像装置１４（具体的には１４Ｋ〜１４Ｃ）などの電子写真用デバイスが具備されている。
【００５４】
尚、各感光体ドラム１１（１１Ｋ〜１１Ｃ）と第一中間転写ドラム３１ａ，３１ｂとは、両者の電位差によってトナー像が転写されるが、両者が対峙する部分には、図示しない（一次）転写装置を設けてもよい。また、第一中間転写ドラム３１ａ，３１ｂと第二中間転写ドラム３２とは、両者の電位差によってトナー像が転写されるが、両者が対峙する部分には、図示しない（二次）転写装置を設けてもよい。
【００５５】
更に、シート搬送部は、用紙等の記録シートＳが積載されるシートトレイ４０、シートトレイ４０内の記録シートＳを一枚ずつ繰り出すピックアップロール４１、繰り出された記録シートＳを位置決めするレジストロール４２、第二中間転写ドラム３２上の画像を記録シートＳに転写する転写ロール４３、記録シートＳ上に転写された画像を定着する定着ロール４４、排出された記録シートＳを収容する排出トレイ４５などを備えている。
【００５６】
次に、上記の如く構成される複写機８０の基本的なフルカラー複写動作について説明する。
【００５７】
まず、ユーザーがカラー原稿の複写を行う場合には、原稿載置台７０上に原稿を載置し、図示しないユーザーインターフェイスによって複写指示を行うことによって、画像読取装置７１によって原稿の画像を走査しつつ光学的に読み取り、電気信号（画像データ）Ｉに変換する。上記画像読取装置７１から出力された画像データＩは、画像処理装置７２に入力され、当該画像処理装置７２において、ブラック、イエロー、マゼンタ、シアンの各色に色分解されるとともに、これら各色の画像データＩ（ＩＫ，ＩＹ，ＩＭ，ＩＣ）に、マーキングデバイス／プロセスの特性を考慮した所定の重み係数を付与する等の画像処理が施される. 
【００５８】
一方、各画像形成ステーション１０内の感光体ドラム１１は、後述するギア駆動により、図中矢印の方向に沿って所定の速度で回転駆動される。この感光体ドラム１１の表面は、帯電装置１２により所定の電位に一様に帯電される。そして、各感光体ドラム１１（１１Ｋ〜１１Ｃ）の表面には、各露光装置１３（１３Ｋ〜１３Ｃ）によってそれぞれ画像データＩ（ＩＫ〜ＩＣ）に対応した画像光が、所定タイミングで照射されることにより、これら各感光体ドラム１１（１１Ｋ〜１１Ｃ）の表面には、露光部と非露光部との電位差による静電潜像が形成される。上記各感光体ドラム１１（１１Ｋ〜１１Ｃ）の表面に形成された静電潜像は、ブラック、イエロー、マゼンタ、シアンの各現像装置１４（１４Ｋ〜１４Ｃ）によってトナーが静電的に付着されて顕像化され、トナー画像Ｔ（Ｋ，Ｙ，Ｍ，Ｃ）となる。
【００５９】
他方、第一中問転写ドラム３１ａ，３１ｂ及び第二中間転写ドラム３２も、感光体ドラムと同様ギア駆動により、図中矢印の方向へ回転駆動されている。そして、上記トナー画像Ｔ（Ｋ，Ｙ）は、感光体ドラム１１（１１Ｋ，１１Ｙ）から第一中間転写ドラム３１ａ上へ、トナー画像Ｔ（Ｍ，Ｃ）は、感光体ドラム１１（１１Ｍ，１１Ｃ）から第一中間転写ドラム３１ｂ上へと静電的に一次転写される。この際、トナー画像Ｔ（Ｋ，Ｙ）は、第一中間転写ドラム３１ａ表面で重ね合わされ、トナー画像Ｔ（Ｍ，Ｃ）は、第一中間転写ドラム３１ｂ表面で重ね合わされる。
【００６０】
更に、第一中間転写ドラム３１ａ上で重ね合わされたトナー画像Ｔ（Ｋ，Ｙ）は、第二中間転写ドラム３２上へ、同じく第一中間転写ドラム３１ｂ上で重ね合わされたトナー画像Ｔ（Ｍ，Ｃ）も第二中間転写ドラム３２上へと静電的に二次転写される。この際、トナー画像Ｔ（Ｋ，Ｙ）とトナー画像Ｔ（Ｍ，Ｃ）とは、第二中間転写ドラム３２表面で重ね合わされ, フルカラーのトナー画像Ｔ（Ｋ，Ｙ，Ｍ，Ｃ）が形成される。
【００６１】
このように、トナー画像Ｔ（Ｋ，Ｙ，Ｍ，Ｃ）が形成される間、シート搬送部においては、シートトレイ４０内の記録シートＳがピックアップロール４１により一枚取り出され、レジストロール４２へと搬送される。例えば、レジストロール４２が停止状態から所定タイミングまで回転を開始することにより、第二中間転写ドラム３２上のフルカラートナー画像Ｔ（Ｋ，Ｙ，Ｍ，Ｃ）が転写ロール４３とのニップ部に達するタイミングと、記録シートＳがそのニップ部分に達するタイミングとを一致させ、転写ロール４３により第二中間転写ドラム３２上のフルカラートナー画像Ｔ（Ｋ，Ｙ，Ｍ，Ｃ）が記録シートＳに静電的に転写される。
【００６２】
その後、表面にフルカラートナー画像Ｔ（Ｋ，Ｙ，Ｍ，Ｃ）を静電的に保持する記録シートＳは、互いに圧接する一対の定着ロール４４のニップ部分を通過する際に、各定着ロール４４からの熱と圧力とその作用によりそのフルカラートナー画像Ｔ（Ｋ，Ｙ，Ｍ，Ｃ）を表面に定着させ、複写機８０の外部に設けられた排出トレイ４５へと排出される。
【００６３】
このような複写工程を１サイクルとし、これを連続的に行うことにより、次々にフルカラー画像を複写することができる。
【００６４】
ところで、この実施の形態に係る歯車は、外周に歯部が形成され、かつ内周に空隙部が設けられた歯車本体と、前記歯車本体を構成する材料と機械的強度が同等かそれ以上である材料からなり、前記空隙部に嵌合された状態で配置され、かつ前記歯車本体の空隙部内周面に接着固定される補助部材とを備えた歯車において、前記補助部材又は歯車本体の接着固定される面に、接着剤が流入する溝部を設けるように構成されている。
【００６５】
図３はこの実施の形態に係る歯車を画像形成装置のフランジギアヘ適用した例を示すものである。
【００６６】
上記感光体ドラム１１は、図３（Ａ）に示すように、アルミニウム等の金属などによって薄肉円筒状に形成された基体１５の表面に、ＯＰＣ等の感光層１６を塗布して構成されている。この感光体ドラム１１は、例えば、外径が３０ｍｍ程度の小径に形成されており、この実施の形態に係る歯車を用いて所定の速度で回転駆動される。
【００６７】
上記感光体ドラム１１の軸方向の一端部には、図３（Ａ）に示すように、歯車としてのフランジギア１７が圧入や接着等の手段で固定された状態で取り付けられている。このフランジギア１７は、ギア本体１８と、ギア本体１８を構成する材料と機械的強度（縦弾性係数、横弾性係数）が同等かそれ以上である材料からなる補助部材１９とから構成されている。上記ギア本体１８と補助部材１９は、例えば、プラスチック成形によって形成されており、ギア本体１８の材料としては、例えば、ポリカーボネート（ＰＣ）やＰＯＭ等が用いられ、補助部材１９の材料としては、ギア本体を構成する材料と機械的強度が同等かそれ以上であるアルミニウムやステンレス等の金属、あるいはポリカーボネート（ＰＣ）やＰＯＭ等が用いられる。
【００６８】
上記フランジギア１７のギア本体１８は、歯が形成されている部位２０の歯幅内のギアホイール部２１が、感光体ドラム１１の端部に接合された接合部２２と共に肉抜きされて薄肉に形成されており、歯部２０下のギアホイール部２１及び接合部２２の内周面には、非接触（非拘束）状態である空隙部２３が設けられている。また、上記補助部材１９は、基本的に円柱形状に形成されているが、当該補助部材１９の中心には、ドラム支持軸２４を挿通するための挿通孔２５が穿設されている。さらに、上記補助部材１９の軸方向外周端には、ドラム支持軸２４を回転自在に支持するための軸受け部材２６が設けられている。上記フランジギア１７の肉抜きされたギア本体１８の内周径と補助部材１９の外周径は、高い圧力がかからない程度に略同一径（０〜３０μｍ程度の圧入）に設定されている。
【００６９】
また、上記補助部材１９の外周面２７には、図３に示すように、接着剤２８が流入する溝部２９が、螺旋状又は環状に設けられている。この溝部２９の大きさ及び形状は、任意であるが、例えば、その深さが０．５ｍｍ〜１ｍｍ程度に設定され、その形状は、円弧状やＶ字形状などに形成される。なお、上記溝部２９のピッチは、任意であるが、例えば、１ｍｍ程度のピッチで設けられる。
【００７０】
図  は上記感光体ドラム１１の軸方向の一端部に取り付けられたギアの変形例としてのリングギアを示すものである。
【００７１】
このリングギア５０は、図３（Ａ）に示すように、歯部５１を有するギア本体５２が感光体ドラム１１の外周に嵌合されるように構成されているとともに、当該ギア本体５２が嵌合された感光体ドラム１１の内周面には、補助部材５３が接着剤２８によって接着固定されるように構成されている。
【００７２】
また、図３（Ｂ）は上記中間転写ドラム３１ａ，３１ｂ，３２の軸方向の一端部に取り付けられたリングギアを示すものである。
【００７３】
上記中間転写ドラム３１ａ，３１ｂ，３２は、図４に示すように、アルミニウム等の金属などによって薄肉円筒状に形成された基体３４の表面に、半導電性を有するゴム層２５を所定の厚さに被覆して構成されている。
【００７４】
この中間転写ドラム３１ａ，３１ｂ，３２の端部に取り付けられたリングギア５０は、図３（Ｂ）に示すように、感光体ドラム１１の軸方向の一端部に取り付けられたギアと同様に構成されている。なお、５７は中間転写ドラム３１ａ，３１ｂ，３２の支持軸を示している。
【００７５】
さらに、上記の如く構成される感光体ドラム１１のフランジギア１７は、図５に示すように、小径のアイドラーギア６０と直径の大きなアイドラーギア６１とが一体的に連結されたダブルギア６２、及び中間のアイドラーギア６３を介して、駆動モータ６４に取り付けられた駆動ギア６５と噛み合うことによって駆動伝達装置６６を構成しており、駆動モータ６５によって所定の速度で回転駆動されるように構成されている。
【００７６】
以上の構成において、この実施の形態に係る歯車及びこれを用いた駆動伝達装置を適用したフルカラー複写機では、次のようにして、歯車本体と補助部材とを接着によって固定することにより、高剛性化するように構成した場合でも、歯車本体と補助部材とを薄い接着層で確実に接着することができ、歯車部材を薄肉に形成した場合でも、剛性を高めることにより、回転変動を大幅に低減することが可能となっている。
【００７７】
すなわち、上記フルカラー複写機では、図５に示すように、駆動モータ６４によって、当該駆動モータ６４に取り付けられた駆動ギア６５、中間のアイドラーギア６３、小径のアイドラーギア６０と直径の大きなアイドラーギア６１を備えたダブルギア６２、及びフランジギア１７を介して、感光体ドラム１１が所定の速度で回転駆動され、フルカラーの画像を形成するように構成されている。なお、中間転写ドラム３１ａ，３１ｂ，３２は、同様に構成された図示しない駆動伝達装置によって回転駆動されるようになっている。
【００７８】
その際、上記感光体ドラム１１を回転駆動させるフランジギア１７は、図３（Ａ）に示すように、ギア本体１８と補助部材１９とから構成され、これらギア本体１８の内周径と補助部材１９の外周径は、高い圧力がかからない程度に略同一径（０〜３０μｍ程度の圧入）に設定されている。また、上記補助部材１９の外周面には、接着剤２８が流入する溝部２９が、螺旋状又は環状に設けられている。そのため、上記補助部材１９の外周面に設けられた溝部２９に、当該補助部材１９及びギア本体１８の材質にもよるが、例えば、瞬間接着剤等の接着剤２８を全周に、あるいは周方向に沿って略一定の間隔で塗布することにより、補助部材１９の外周面に接着剤２８を略均一に塗布することが可能となる。そして、この状態で補助部材１９とギア本体１８とを嵌合させることにより、補助部材１９の外周面に塗布された接着剤２８を毛細管現象によって、均一に且つ薄く塗布した状態で、補助部材１９とギア本体１８を接着させることが可能となる。その結果、ギア本体１８を肉抜きして薄肉に形成した場合でも、補助部材１９とギア本体１８とを強固に接着することができ、フランジギア１７を高剛性化することができ、回転変動を大幅に低減することが可能となっている。
【００７９】
実施の形態２
図６は、この発明を適用した実施の形態２に係る複写機（画像形成装置）の断面概略図であり、記録紙に各色のトナー像を順次転写してカラー画像を得る画像形成装置の概略構成図を示すものである。
【００８０】
図６に示す画像形成装置１００には、レッド、グリーン、ブルーのカラーデータを処理して得られたイエロー（Ｙ）、マゼンタ（Ｍ）、シアン（Ｃ）、ブラック（Ｋ）の画像データに基づいて変調されたレーザ光を出射するレーザ光源（図示せず）からの出射光を偏向する回転多面鏡等を有する露光器１１１Ｙ，１１１Ｍ，１１１Ｃ，１１１Ｋが備えられている。また、この画像形成装置１００には、図示しない帯電器によって帯電され、上記露光器１１１Ｙ，１１１Ｍ，１１１Ｃ，１１１Ｋからレーザ光の露光を受けながら回転することにより表面に静電潜像を形成する感光体ドラム１１２Ｙ，１１２Ｍ，１１２Ｃ，１１２Ｋと、それら感光体ドラム１１２Ｙ，１１２Ｍ，１１２Ｃ，１１２Ｋに形成された静電潜像を、それぞれＹ，Ｍ，Ｃ，Ｋのトナーで現像する現像器１１３Ｙ，１１３Ｍ，１１３Ｃ，１１３Ｋが備えられている。さらに、この画像形成装置１００には、駆動ロール１２１および従動ロール１２２，１２３，１２４と、それら駆動ロール１２１，従動ロール１２２，１２３，１２４間に張架された転写ベルト１３０と、用紙トレイ１４０内の記録紙１５０を所定のタイミングで送り出すレジストロール１６０と、感光体ドラム１１２Ｙ，１１２Ｍ，１１２Ｃ，１１２Ｋ上の残留トナーを除去するクリーナ１１４Ｙ，１１４Ｍ，１１４Ｃ，１１４Ｋと、記録紙１５０上に転写されたトナー像を定着する定着器１７０とが備えられている。
【００８１】
このように構成された画像形成装置１００では、先ず、イエロー用の感光体ドラム１１２Ｙが一様に帯電された後、露光器１１１Ｙからイエローの画像データに基づいて変調されたレーザ光が出射されて感光体ドラム１１２Ｙが露光し、これにより感光体ドラム１１２Ｙの表面にイエロー用の静電潜像が形成される。この静電潜像は、現像器１１３Ｙにより現像されてイエローのトナー像が形成され、レジストロール１６０によって所定のタイミングで送り出され転写ベルト１３０に担持されて矢印Ａ方向に搬送される記録紙１５０上に転写される。記録紙１５０上に転写されたイエローのトナー像の上には、次の感光体ドラム１１２Ｍ上に形成されたマゼンタのトナー像が重ね合わせるように転写され、さらに、その上に、シアンおよびブラツクのトナー像が重ね合わせるように転写される。こうして、４色のトナー像が重ね合わされて形成されたカラートナー像は、定着器１７０によって定着されてカラー画像が完成する。
【００８２】
図７はこの実施の形態２に係る歯車を画像形成装置のフランジギアヘ適用した例を示すものである。
【００８３】
上記感光体ドラム１１２は、図７に示すように、アルミニウム等の金属などによって薄肉円筒状に形成された基体の表面に、ＯＰＣ等の感光層を塗布して構成されている。この感光体ドラム１１２の軸方向の一端部には、ギアホイール部２１と接合部２２との間に段差を有しないフランジギア１８０や、ギアホイール部２１と接合部２２との間に段差を有するフランジギア１８１が取り付けられている。これらフランジギア１８０及びフランジギア１８１の構成は、補助部材の構成を除いて、前記実施の形態１と同一であるので、同一部分には同一の符号を付して説明を省略する。
【００８４】
なお、図７中、１８２は感光体ドラム１１２の外周に設けられた軸受け部材を示している。
【００８５】
また、図８は画像形成装置の端部に設けられるリング状ギアを示すものである。
【００８６】
このリング状ギア１８３も、基本的に、図３（Ｂ）に示す実施の形態１と同様に構成されている。
【００８７】
但し、図８（Ｂ）に示すリング状ギア１８３は、ギア本体５２が二重に形成されており、内周に位置するギア本体部分５２ａと、外周に位置するギア本体部分５２ｂとが半径方向に伸びた連結部５２ｃによって互いに連結されており、これら内周及び外周に位置するギア本体部分５２ａ，５２ｂとの空隙部にも、補助部材が設けられている。そして、上記補助部材の内周及び外周面にも、接着剤２８が流入する溝部２９が設けられている。
【００８８】
また、上記各感光体ドラム１１２は、図９に示すように、駆動源１９０によって回転駆動される駆動シャフト１９１に取り付けられたウォームギア１９２を備えた駆動伝達装置によって、各感光体ドラム１１２の端部に設けられたフランンジギア１８０等を介して回転駆動されるように構成されている。
【００８９】
実施の形態３
図１０は、この発明を適用した実施の形態３に係る複写機（画像形成装置）の断面概略図であり、中間転写ベルト上に各色のトナー像を順次転写してカラー画像を得る画像形成装置の概略構成図を示すものである。
【００９０】
尚、この図１０に示す実施の形態３においては、図６に示す画像形成装置１００と同じ構成要素には同一の符号を付して説明する。
【００９１】
図１０に示す画像形成装置２００は、図６に示す画像形成装置１００と比較して、転写ベルト１３０が中間転写ベルト２１０に置き換えられている点と、中間転写ベルト２１０を挟んで感光体ドラム１１２Ｙ，１１２Ｍ，１１２Ｃ，１１２Ｋに対向する位置に１次転写ロール２１１Ｙ，２１１Ｍ，２１１Ｃ，２１１Ｋが配置されている点と、２次転写ロール２１２が追加されている点とが異なっている。この画像形成装置２００では、中間転写ベルト２１０を駆動ロール１２１の回転によって矢印Ｂ方向に移動して、中間転写ベルト２１０上に各感光体ドラム１１２Ｙ，１１２Ｍ，１１２Ｃ，１１２Ｋ上の各色トナー像を順次転写していくことにより、中問転写ベルト２１０上に４色のトナー像が重ね合わせるように転写され、さらに２次転写ロール２１２で記録紙１５０上に一括転写される。このようにして４色のトナー像が重ね合わされて形成されたカラートナー像が定着器１７０によって定着されてカラー画像が完成する。
【００９２】
図１０における各色の感光体ドラムを回転させるギア駆動系の構成は、図９と同様に構成されている。
【００９３】
なお、前記実施の形態では、補助部材に溝部を設けたが、歯車本体に溝部を設けても勿論良い。
【実施例】
【００９４】
実施例１
この実施例１では、図２に示す実施の形態１に係る画像形成装置を実施例のモデルとして実際に試作し、出力画像の濃度ムラについて実際に調べたところ、本発明者らの実験によれば、出力画像の濃度ムラを認知限界以下に低減することができた。
【００９５】
図１１は上記実施例１に係る感光体ドラムの回転ムラを、接着不良が生じたフランジギアと、本発明に係るフランジギアを用いて測定した結果を示すものである。
【００９６】
上記図１１から明らかなように、本発明を適用することによって、ギアの噛み合い変動△Ｖ0-P を、目標レベルとする０．３％以下にすることができ、画像濃度ムラの認知限界以下にすることができた。この実施例１より、本発明の導入により、出力画像の濃度ムラ△VO-pを認知限界である０．３％以下とすることができ、小型の画像形成装置において、高度な回転精度が得られる画像形成装置を提供することができることがわかった。
【図面の簡単な説明】
【００９７】
【図１】図１はこの発明に係る歯車を示す構成図である。
【図２】図２はこの発明の実施の形態１に係る歯車及びこれを用いた駆動伝達装置を適用した画像形成装置としてのタンデム型のフルカラー複写機を示す概略構成図である。
【図３】図３はこの発明の実施の形態１に係る歯車としてのフランジギア及びリングギアの使用状態を示す断面構成図である。
【図４】図４はこの発明の実施の形態１に係る歯車としてのリングギアの使用状態を示す断面構成図である。
【図５】図５はこの発明の実施の形態１に係る歯車を用いた駆動伝達装置をを示す構成図である。
【図６】図６はこの発明の実施の形態２に係る歯車及びこれを用いた駆動伝達装置を適用した画像形成装置としてのタンデム型のフルカラー複写機を示す概略構成図である。
【図７】図７はこの発明の実施の形態２に係る歯車としてのフランジギアの使用状態を示す断面構成図である。
【図８】図８はこの発明の実施の形態２に係る歯車としてのリング状ギアの使用状態を示す断面構成図である。
【図９】図９はこの発明の実施の形態２に係る歯車を用いた駆動伝達装置を示す構成図である。
【図１０】図１０はこの発明の実施の形態３に係る歯車及びこれを用いた駆動伝達装置を適用した画像形成装置としてのタンデム型のフルカラー複写機を示す概略構成図である。
【図１１】図１１はこの発明の実施例１に係る歯車及びこれを用いた駆動伝達装置を適用した画像形成装置としてのタンデム型のフルカラー複写機の回転ムラを示すグラフである。
【図１２】図１２は空間周波数と速度変動率との関係を示すグラフである。
【図１３】図１３は従来のプラスチック成形ギアを示す断面構成図である。
【図１４】図１４は従来のプラスチック成形ギアを用いた場合の回転変動を示すグラフである。
【図１５】図１５は従来のプラスチック成形ギアの接着状態を示す説明図である。
【図１６】図１６は従来のプラスチック成形ギアの使用状態を示す説明図である。
【符号の説明】
【００９８】
１：歯車、２：歯車本体、３：補助部材、４：歯部、９：補助部材の外周面、１０：接着剤が流入する溝部。
【図１】
2005083448.tif 000003
【図２】
2005083448.tif 000004
【図３】
2005083448.tif 000005
【図４】
2005083448.tif 000006
【図５】
2005083448.tif 000007
【図６】
2005083448.tif 000008
【図７】
2005083448.tif 000009
【図８】
2005083448.tif 000010
【図９】
2005083448.tif 000011
【図１０】
2005083448.tif 000012
【図１１】
2005083448.tif 000013
【図１２】
2005083448.tif 000014
【図１３】
2005083448.tif 000015
【図１４】
2005083448.tif 000016
【図１５】
2005083448.tif 000017
【図１６】
2005083448.tif 000018